(57)【要約】      （修正有）【課題】使用者の要求に応じて蓋体の閉塞速度を変更可能な開閉装置を提供する。【解決手段】開閉装置は、本体と、本体に枢支されて閉塞位置と開放位置との間で回動可能な蓋体と、本体と蓋体との間に設けられたダンパ機構8とを備えている。ダンパ機構8は、本体に設けられた収納筒体5と、収納筒体5内に嵌められエアが充填されたシリンダ4と、蓋体の回動に合わせてシリンダ4内を摩擦を以て摺動するピストン3を有する。シリンダ4の側面の第１開口40と、収納筒体5の側面の第２開口50とが重複する部分の面積は、蓋体が自重で下降して、収納筒体5に対してシリンダ4が軸線方向の外方に位置する第１状態よりも、蓋体に自重以上の荷重が加えられて、ピストン3にて圧縮されたエア圧力が加わって、収納筒体5に対してシリンダ4が第１状態よりも軸線方向の内方に位置する第２状態の方が、大きくなるように構成されている。【選択図】図７
2016187905.tif 000002
【特許請求の範囲】
【請求項１】
本体と、
この本体に枢支されて閉塞位置と開放位置との間で回動可能な蓋体と、
前記本体と蓋体との間に設けられて伸縮し、蓋体の開閉速度を制御するダンパ機構とを備え、
このダンパ機構は、
前記蓋体又は本体の一方に設けられた収納筒体と、
軸線方向に移動可能なようにこの収納筒体内に嵌められ、この収納筒体内に位置する端部を有底とし、流体が充填されたシリンダと、
前記蓋体又は本体の他方に一端部が連結されて、前記蓋体の回動に合わせて前記シリンダ内を摩擦を以て摺動するピストンとを有し、
前記シリンダの側面には第１開口が設けられ、前記収納筒体の側面には前記第１開口に対して少なくとも部分的に重なる位置に第２開口が設けられ、
前記第１開口と前記第２開口とが重複する部分の開口面積は、
前記蓋体が自重で下降して、前記収納筒体に対して前記シリンダが軸線方向の外方に位置する第１状態よりも、前記蓋体に自重以上の荷重が加えられてこの蓋体が下降し、前記ピストンにて圧縮された流体の流体圧力が加わって、前記収納筒体に対して前記シリンダが前記第１状態よりも軸線方向の内方に位置する第２状態の方が、大きくなるように構成されている、開閉装置。
【請求項２】
前記収納筒体内には、前記蓋体に自重以上の荷重が加えられているときに、前記シリンダによって圧縮変形される弾性体が設けられた、請求項１に記載の開閉装置。
【請求項３】
前記収納筒体の内面又は前記シリンダの外面の一方に設けられた規制溝と、他方に設けられた突部とを有し、
前記規制溝は、前記突部に嵌合して、前記シリンダの軸線を中心とした回転を規制するとともに、前記収納筒体に対する前記シリンダの前記軸線方向の移動範囲を規定する、請求項１又は２に記載の開閉装置。
【請求項４】
前記シリンダの底部には、連通孔が開設されるとともに、このシリンダ内の正圧状態にてこの連通孔を閉塞し、このシリンダ内の負圧状態にてこの連通孔の閉塞を開放する弁体が設けられた、請求項１乃至３の何れかに記載の開閉装置。
【請求項５】
前記ピストンとシリンダの間には、前記蓋体の開放位置を維持するロック手段が設けられている、請求項１乃至４の何れかに記載の開閉装置。
【請求項６】
前記蓋体と本体の間には、前記蓋体の開放位置を維持する維持機構が設けられている、請求項１乃至４の何れかに記載の開閉装置。
【請求項７】
前記シリンダとピストンの他端部との間に充填される流体は、空気又はオイルである、請求項１乃至６の何れかに記載の開閉装置。
【発明の詳細な説明】
【技術分野】
【０００１】
本発明は、本体に対して接合部材を介して開閉可能に接合された蓋体を備えた開閉装置に関し、特に蓋体を本体に対して開閉する際に用いられるダンパ機構を備えた開閉装置に関する。
【背景技術】
【０００２】
従来、本体と、この本体に対していわゆるヒンジ等の接合部材で開閉可能に接合された蓋体と、を備えた開閉装置が知られている。このような開閉装置では、使用者が蓋体を本体に対して手動で開閉するものがある。この場合、使用者にとって、蓋体は本体に対して速く開くことができ、閉じるときはゆっくりと閉じることができることが望ましい。使用者が蓋体を本体に対して開くときは、開閉装置の本体内部に速くアクセスする必要があると考えられるため、蓋体が本体に対して速く軽く開くことが望ましいのである。一方、使用者が蓋体を本体に対して閉じるときは、蓋体を勢いよく閉じた衝撃で開閉装置が損傷するのを防ぐため、蓋体が本体に対してゆっくり閉じることが望ましいのである。
そこで、使用者が蓋体を本体に対して手動で閉じる開閉装置において、蓋体が閉じる際の緩衝作用を蓋体に付与するダンパ機構を備えた開閉装置が知られている。かかるダンパ機構として、蓋体に連結したピストンを有底のシリンダに摺動自在に嵌めたエアダンパ機構がある。しかし、このようなエアダンパ機構では、本体に対して蓋体が閉じる直前、即ちピストンのストロークの終了付近でエアの圧縮量が大きくなることによってダンパ効果が大きくなる。その結果、使用者は蓋体を本体に対して閉じにくいという問題がある。この問題点を解決するため、例えば特許文献１には、シリンダの底部に弁体を設け、ピストンのストロークの終了付近でピストンの下端が弁体を押して開き、シリンダ内のエアを逃がす構成のダンパ機構が開示されている。この構成により、使用者が本体に対して蓋体を閉じる直前における蓋体の閉じにくさを改善することができる。
【先行技術文献】
【特許文献】
【０００３】
【特許文献１】特開平１-３０７５３１号
【発明の概要】
【発明が解決しようとする課題】
【０００４】
ところで、使用者による開閉装置の使用状況を考えると、蓋体をゆっくり閉じてもよい場合と、蓋体を急いで閉じたい場合とがある。
しかしながら、特許文献１に記載のエアダンパ機構にあっては、ピストンのストローク終了付近に達するまでは、蓋体は相変わらず閉じにくいという問題点がある。すなわち、使用者は蓋体を急いで閉じたいという要求を持っているにも拘わらず、ピストンのストロークの終了付近に達するまでは、ダンパ効果が大きく、蓋体が閉じにくいとの問題は改善されていないのである。
本発明は上述した問題点を解決するためになされたものであり、その目的は、使用者の要求に応じて蓋体の閉塞速度を変更可能な開閉装置を提供することにある。
【課題を解決するための手段】
【０００５】
開閉装置は、本体と、この本体に枢支されて閉塞位置と開放位置との間で回動可能な蓋体と、前記本体と蓋体との間に設けられて伸縮し、蓋体の開閉速度を制御するダンパ機構とを備え、
このダンパ機構は、
前記蓋体又は本体の一方に設けられた収納筒体と、軸線方向に移動可能なようにこの収納筒体内に嵌められ、この収納筒体内に位置する端部を有底とし、流体が充填されたシリンダと、前記蓋体又は本体の他方に一端部が連結されて、前記蓋体の回動に合わせて前記シリンダ内を摩擦を以て摺動するピストンとを有し、
前記シリンダの側面には第１開口が設けられ、前記収納筒体の側面には前記第１開口に対して少なくとも部分的に重なる位置に第２開口が設けられ、前記第１開口と前記第２開口とが重複する部分の開口面積は、前記蓋体が自重で下降して、前記収納筒体に対して前記シリンダが軸線方向の外方に位置する第１状態よりも、前記蓋体に自重以上の荷重が加えられてこの蓋体が下降し、前記ピストンにて圧縮された流体の流体圧力が加わって、前記収納筒体に対して前記シリンダが前記第１状態よりも軸線方向の内方に位置する第２状態の方が、大きくなるように構成されている。
【発明の効果】
【０００６】
蓋体の開放位置から蓋体を自重で閉じる場合は、ピストンはシリンダと摩擦を以てシリンダ内を摺動し、第１開口と第２開口とが重なった第１状態にて、流体を収納筒体の外部に排出しながら、閉塞位置に達する。
蓋体の開放位置から蓋体に自重以上の荷重が加えられると、シリンダにはピストンとの摩擦の他に、ピストンによって圧縮された流体の流体圧力が加わる。この結果、第１状態から更にシリンダが押し込まれて第１開口と第２開口とが重なる面積が大きくなる第２状態となる。これにより、シリンダ内に充填されていた流体は、第１状態よりも多くの量が第１開口と第２開口とを通って収納筒体の外部に排出される。この結果、流体のダンパ効果が早く弱められる。従って、蓋体に自重以上の荷重が加えられた際にも、この荷重に対応してダンパ効果を弱めることができ、蓋体が素早く閉塞される。これにより、使用者の要求に応じて蓋体の閉塞速度を変更可能に設定することが出来る。
【図面の簡単な説明】
【０００７】
【図１】複合機の斜視図である。
【図２】プリンタ部の内部構造を示す概略図である。
【図３】(a)、(b)は、本体と蓋体の位置関係を示す側面図である。
【図４】ダンパ機構の分解図である。
【図５】収納筒体を図４のＡ方向から見た斜視図である。
【図６】シリンダの底部内部を、シリンダの側壁を一部破断して示す斜視図である。
【図７】(a)、(b)、(c)は、ピストン、シリンダ、収納筒体の位置関係を示す断面図である。
【図８】(a)、(b)は、シリンダと収納筒体を破断して弁体を示す斜視図である。
【図９】ロック機構の拡大斜視図である。
【図１０】図９をＢ-Ｂ線を含む面にて破断し矢視した断面図である。
【図１１】収納筒体の変形例を示す斜視図である。
【発明を実施するための形態】
【０００８】
以下、本発明を実施するための形態について、図面を参照しながら詳細に説明する。本実施形態に係る開閉装置として、プリンタ機能、スキャナ機能、コピー機能及びファクシミリ機能等を備える所謂複合機を例示する。しかし、これは開閉装置を複合機に限定する意図ではない。
図１は、複合機１００の斜視図である。複合機１００は略直方体の本体１の上部に、一端部が枢支されて閉塞位置と開放位置との間を回動する蓋体２を備えている。本体１がインクジェット方式のプリンタ部９を構成し、蓋体２がスキャナ部２０を構成する。
プリンタ部９は本体１の正面にトレイ用開口１０を有し、このトレイ用開口１０の内方下側に給送トレイ１１を、内方上側に排出トレイ１２を挿脱可能に設けている。以下の記載では、本体１にてトレイ用開口１０が設けられている側を本体１の手前側(前面)として前後方向が定義され、本体１を手前側から見て左右方向が定義される。
給送トレイ１１には記録媒体である複数枚の用紙Ｐ(図２参照)が未記録状態で収納され、排出トレイ１２には後述する記録ヘッド９０により画像や文字等が記録された用紙Ｐが収納される。
【０００９】
本体１の前面右側には、透明体又は半透明体からなる扉１３が下端部を中心として回転自在に設けられている。本体１内にてこの扉１３の内方には、用紙Ｐに印刷するためのインクが貯留されるタンク９５(図２参照)が固定されている。タンク９５は内部が左右に沿って４つの収納室(図示せず)に区分けされ、各収納室にシアン(Ｃ)、マゼンタ(Ｍ)、イエロー(Ｙ)、ブラック(Ｋ)の色に対応したインクが貯留される。
【００１０】
図２は、プリンタ部９の内部構造を示す概略図である。給送トレイ１１内の用紙Ｐは給送ローラ９２によって１枚ずつ給送され、第１ローラ対９３と第２ローラ対９４によって排出トレイ１２に送られる。第１ローラ対９３と第２ローラ対９４の間には、各色のインクを吐出する記録ヘッド９０と、この記録ヘッド９０の下方に位置して用紙Ｐを支持するプラテン９１が設けられている。記録ヘッド９０とタンク９５の間には複数(本実施形態においては、上述したＣＭＹＫたる４色のインクに対応した４本)のチューブ９６が接続され、タンク９５から記録ヘッド９０に各色のインクが供給される。搬送された用紙Ｐはプラテン９１に支持されて、記録ヘッド９０から吐出されるインクによって画像や文字等が記録された後に、排出トレイ１２に排出される。
【００１１】
スキャナ部２０は、所謂フラットベッドスキャナとして構成されており、スキャナ部筐体２０Ａと、このスキャナ部筐体２０Ａに対して開閉可能な原稿カバー２０Ｂとを備えている。スキャナ部筐体２０Ａの天面には、原稿が載置されるプラテンガラス(図示せず)が設けられ、このスキャナ部筐体２０Ａの天面内側には原稿に光を照射する発光部(図示せず)や、原稿の画像や文字を読み取るイメージセンサ(図示せず)が設けられている。原稿カバー２０Ｂの下面には、プラテンガラス上に載置された原稿を押さえる原稿押さえ（図示せず）が設けられている。
【００１２】
図３(a)、(b)は、本体１と蓋体２の位置関係を示す側面図であり、(a)は蓋体２の開放位置を、(b)は蓋体２の閉塞位置を夫々示す。本実施形態にあっては、蓋体２の開閉動作に１つの特徴があるため、図３では図１に比して蓋体２と本体１とを簡略化して示す。
蓋体２は後端部が本体１の上部に枢軸２aによって枢支されて、閉塞位置と開放位置との間を回動可能に設けられている。蓋体２と本体１の間には、蓋体２の開放位置を維持する維持機構６が設けられている。この維持機構６は、前後方向に沿って本体１に開設された横穴６２と、一端部が蓋体２に枢支されたアーム６０とを備える。アーム６０の他端部には、横穴６２内を摺動可能に嵌まる案内軸６１が設けられている。
図３(a)に示す蓋体２の開放位置にあっては、案内軸６１が横穴６２の前端部に位置して、アーム６０がほぼ垂直に起立した姿勢となって、蓋体２が不用意に閉じることを防ぐ。即ち、蓋体２は開放位置にてロックされる。この蓋体２の開放位置から、使用者が蓋体２を下向きに押すと、蓋体２は枢軸２aを中心に下向きに回動する。それに伴って、案内軸６１が横穴６２内を後退し、図３(b)に示す閉塞位置に達する。蓋体２の閉塞位置にて案内軸６１は横穴６２の後端部に達する。
【００１３】
使用者が蓋体２を本体１に対して閉じる際には、蓋体２と本体１とに与える衝撃が小さくなるように、蓋体２が本体１に対してゆっくり閉じることが望ましい。そこで、複合機１００には、蓋体２に緩衝作用を付与して、蓋体２の開閉速度を制御するダンパ機構８が設けられている。
ダンパ機構８は、大別して、収納筒体５と、シリンダ４と、ピストン３と、から構成されている。収納筒体５は円筒形状を有しており、有底の一端部が本体１に対して回動可能に連結され、且つその上面（他端部）は開口している。シリンダ４も円筒形状を有しており、収納筒体５の開口から収納筒体５内に有底の一端部が移動可能に嵌められ、且つその上面（他端部）は開口している。ピストン３は、その一端部が蓋体２に回動可能に連結されており、且つ他端部はシリンダ４の開口からシリンダ４内に嵌められている。そして、本体１に対する蓋体２の回動に合わせて、ピストン３は摩擦を以てシリンダ４内を摺動する。即ち、ダンパ機構８は、所謂エアダンパ機構である。シリンダ４の中心軸線と収納筒体５の中心軸線とは同じ軸線であり、この軸線が軸線Ｌである。
尚、図３(a)、(b)にあっては、前記の維持機構６及びダンパ機構８は蓋体２及び本体１の側面から露出して示される。しかし、これは図示の便宜の為であって、維持機構６及びダンパ機構８は蓋体２及び本体１の内側に設けられていてもよい。
【００１４】
図４は、ダンパ機構８の分解図である。ピストン３はピストンロッド３０の一端部にゴム又は樹脂製のピストンリング３１を嵌めて構成されている。ピストンロッド３０がシリンダ４内を移動するとき、ピストンリング３１は摩擦を以てシリンダ４の内壁を摺動する。シリンダ４の一端部側面には、軸線Ｌ方向に延びた長孔である第１開口４０が開設され、一方、収納筒体５の側面には第１開口４０に対して少なくとも部分的に重なる位置に、軸線Ｌ方向に延びた長孔である第２開口５０が開設されている。第１開口４０は軸線Ｌを挟んでシリンダ４の側面に２つ設けられ、第２開口５０は軸線Ｌを挟んで収納筒体５の側面に２つ設けられている。第２開口５０は収納筒体５の外部に連通しており、外部のエアが第２開口５０を介してシリンダ４の第１開口４０から流入し、収納筒体５内のエアがシリンダ４の第１開口４０を介して第２開口５０から流出する。
収納筒体５の内底部には圧縮バネ５１が設けられている。後記の如く、圧縮バネ５１は、蓋体２に自重以上の荷重が加えられた際にシリンダ４の外底面と収納筒体５の内底面との間で押圧されて圧縮変形される。即ち、圧縮バネ５１は本発明における「弾性体」に相当する。なお、蓋体２が閉塞位置に達すると、圧縮バネ５１は、シリンダ４を軸線Ｌに沿って押し返す。
【００１５】
第１開口４０と第２開口５０が正しく重なるためには、シリンダ４が収納筒体に対して軸線Ｌを中心として回転しないことが必要である。この対策として、以下の構成を設けている。
図５は、収納筒体５を図４のＡ方向、つまり斜め裏側から見た斜視図である。収納筒体５には、略Ｌ字形の挿入案内溝５５が開設され、一方、シリンダ４の外面にはこの挿入案内溝５５に嵌まる突起４３(図４参照)が設けられている。挿入案内溝５５は軸線Ｌに沿って延びた縦溝５６と、この縦溝５６の下端から収納筒体５の周方向に延びた横溝５７と、この横溝５７の端部から軸線Ｌに沿って上向きに延びた規制溝５８とを連ねて形成されている。縦溝５６の上端は、収納筒体５の上縁に開口しており、突起４３は縦溝５６の上端開口から挿入案内溝５５に挿入される。
【００１６】
シリンダ４と収納筒体５を組み立てる際には、収納筒体５に圧縮バネ５１を挿入した後に、シリンダ４と収納筒体５とを同軸上に配置し、シリンダ４の突起４３を縦溝５６の上端開口に位置合わせする。そして、シリンダ４を収納筒体５に対して押し込み、突起４３を縦溝５６の下端(横溝５７の一端)にまで移動させる。次に、シリンダ４を軸線Ｌを中心に回転させ、突起４３を横溝５７の他端(規制溝５８の下端)に移動させた後に、シリンダ４を収納筒体５に対して軸線Ｌ方向に沿って引き上げる。
このようにして、シリンダ４と収納筒体５が組み立てられる。そして、シリンダ４に外力が付与されていない場合、突起４３は規制溝５８の上端に位置する。一方、規制溝５８の長さ寸法は、蓋体２を閉じる方向へ自重以上の外力が加わっても、突起４３が規制溝５８の下端に到達しない寸法に設定されている。
従って、蓋体２を開閉する際、突起４３は規制溝５８に沿う動きしか許されないから、シリンダ４が収納筒体に対して軸線Ｌを中心として回転することが規制される。また、規制溝５８によってシリンダ４の軸線Ｌ方向の移動範囲が規制されるから、圧縮バネ５１が圧縮され過ぎることも防止される。
【００１７】
図６は、シリンダ４の底部内部を、シリンダ４の側壁を一部破断して示す斜視図である。シリンダ４の底部には、エアが出入り可能な連通孔４２が開設され、この連通孔４２の側部には連通孔４２を開閉する弁体４１が上下回動可能に設けられている。シリンダ４内が正圧状態では弁体４１はエア圧力によって下向きに付勢されて連通孔４２を塞ぐ。シリンダ４内が負圧状態では弁体４１は上向きに付勢されて、連通孔４２を開放する。シリンダ４外方のエアは連通孔４２を通ってシリンダ４内に入るから、シリンダ４内は正圧状態に近づく。
【００１８】
(蓋体を自重で閉じる場合)
使用者による複合機１００の使用状況を考えると、蓋体２をゆっくり閉じてもよい場合と、蓋体２を急いで閉じたい場合とがある。蓋体２をゆっくり閉じる場合は、蓋体２を自重で閉じる。具体的には、使用者は開放位置にある蓋体２(図３(a)参照)を手で下向きに押し、維持機構６による蓋体２のロック状態を解除する。その後、使用者は蓋体２から手を離す。すると、蓋体２は自重で閉塞位置(図３(b)参照)に向けて移動する。
【００１９】
図７(a)、(b)は、蓋体２を自重にて閉じる場合のピストン３、シリンダ４、収納筒体５の位置関係を示す断面図である。図７(a)は蓋体２が開放位置から閉塞位置に向かう状態を示しており、蓋体２の下方への回動に伴ってピストン３が下降する。ピストン３はピストンリング３１がシリンダ４の内壁と摩擦しながら下降し、シリンダ４内のエアが圧縮される。このときシリンダ４内は正圧状態であるから、弁体４１は連通孔４２(図６)を塞いでいる。蓋体２はエアが圧縮されることによる緩衝作用を受け、ゆっくりと閉塞位置に向かう。
【００２０】
シリンダ４は収納筒体５に対して軸線Ｌ方向の外方に位置しており、この状態を第１状態とする。また、シリンダ４と収納筒体５は、第１開口４０と第２開口５０とが部分的に重なるように位置している。このときの、第１開口４０と第２開口５０とが重なる面積をＡ１とする。蓋体２がゆっくりと閉塞位置に向かうことにより、エアが圧縮されるが、エアは面積Ａ１である第１開口４０と第２開口５０とが重なる部分から少しずつ収納筒体５の外方に放出される。ピストン３の下降により、エアが圧縮され過ぎると、ダンパ効果が強くなり、却って蓋体２が閉じ難くなる。エアを少しずつ収納筒体５の外方に放出することによって、ダンパ機構８のダンパ効果を徐々に弱めて、この虞をなくしている。
蓋体２が閉塞位置に達すると、図７(b)に示すように、シリンダ４は収納筒体５に対して軸線Ｌ方向の外方に位置した第１状態のまま、ピストン３は最下位に達する。シリンダ４内のエアの放出が完了する。
【００２１】
(蓋体を自重以上の荷重で閉じる場合)
蓋体２を急いで閉じる場合は、使用者が蓋体２に自重以上の荷重を加える。ピストン３が急に下向きに押されるから、図７(a)に示す状態において、シリンダ４内のエアがピストン３により、急激に圧縮される。弁体４１は前記と同様に、連通孔４２を塞いでいる。シリンダ４にはピストン３との摩擦力に加えて、圧縮されたエアの圧力が加わる。即ち、シリンダ４は蓋体２を自重で閉じる場合以上に大きな圧力で、軸線Ｌ方向に収納筒体５の内方へ向けて押される。
【００２２】
蓋体２が閉塞位置に達する前に、シリンダ４は収納筒体５に対して第１状態よりも軸線Ｌ方向の内方に位置するように動く。この状態を第２状態とする。第２状態にあっては、図７(c)に示すように、第１開口４０と第２開口５０とが重なるが、この重なる面積Ａ２は第１状態の場合の面積Ａ１よりも大きい。第２状態では、シリンダ４にはピストン３との摩擦力に加えて、圧縮されたエアの圧力が加わるから、圧縮バネ５１はシリンダ４の底部に押されて、一旦圧縮される。
また、第２状態では、第１状態よりも、第１開口４０と第２開口５０とが重なる面積が大きいから、第１状態よりも多くの量のエアが収納筒体５の外方に放出される。この結果、ダンパ機構８の緩衝効果が弱められ、蓋体２が素早く閉塞される。蓋体２が閉塞位置に達すると、シリンダ４内の圧縮されたエアの放出が完了し、このエアの圧力が解除されるから、シリンダ４は圧縮バネ５１の弾性力によって第１状態と同じ高さ位置まで戻される。
なお、蓋体２が閉塞位置に到達する前に、蓋体２へ加えていた自重以上の荷重を解放した場合も、その後速やかに、圧縮バネ５１の作用によってダンパ機構８は第２状態から第１状態へ変化する。これにより、第１開口４０と第２開口５０とが重なる部分の開口面積をＡ１に戻して、シリンダ４内からエアが排出され過ぎることを防いでいる。即ち、自重以上の荷重を解放した後のダンパ機構８のダンパ効果を担保している。
【００２３】
(蓋体を閉塞位置から開く場合)
蓋体２を開く場合、蓋体２の開動作に伴って、ピストン３も蓋体２に追従するように上方へ移動する。このときシリンダ４は、突起４３が収納筒体５の規制溝５８の上端に当接し、それ以上の外方への移動が制限される。その結果、ピストン３とシリンダ４とは引き離されるため、シリンダ４内が負圧となって、蓋体２を開けにくい場合がある。本実施形態ではこの虞を解消すべく、弁体４１が以下のように動作する。
図８(a)、(b)は、シリンダ４と収納筒体５を破断して弁体４１を示す斜視図であり、(a)は蓋体２を開放位置から閉じる場合を、(b)は蓋体２を閉塞位置から開く場合を夫々示している。蓋体２を開放位置から閉じる場合は、前記の如く、シリンダ４内が正圧になるから、図８(a)に示すように、弁体４１は連通孔４２を塞いでいる。これにより、連通孔４２からのエアの放出はなくなり、所定のダンパ効果が担保される。
蓋体２を閉塞位置から開く場合は、ピストン３が引き出されて、シリンダ４内が負圧になるから、図８(b)に矢印Ｆで示すように、第２開口５０から収納筒体５にエアが流入し、このエアは連通孔４２を通って弁体４１を押し上げて開く。これにより、シリンダ４内は正圧状態に近づき、蓋体２を閉塞位置から開放位置に動かす際の負荷を軽くすることができる。従って、蓋体２を閉じるときよりも軽い荷重で蓋体２を開くことが出来る。エアの流れを制限する構成（第１開口４０、第２開口５０、連通孔４２等）を適宜設計することにより、蓋体２を閉じるときよりも軽い荷重で蓋体２を開くことのできる構成を実現することも可能である。
【００２４】
上記の記載では、維持機構６によって、蓋体２の開放位置を維持している。しかし、これに代えて、ピストン３とシリンダ４の間に、蓋体２の開放位置を維持するロック機構７が設けられてもよい。図９は、このロック機構７の拡大斜視図であり、図１０は、図９をＢ-Ｂ線を含む面にて破断し矢視した断面図である。
シリンダ４の側面上端部には、取付孔７２が開設され、ロック機構７は上下に延びてこの取付孔７２の近傍に一端部が取り付けられたバネ片７０を備えている。バネ片７０の長手方向中央部は内向きに折曲されて、係止部７１を構成し、この係止部７１は取付孔７２に弾性力を以て嵌まる。ピストンロッド３０の側面にてピストンリング３１の上側には、凹み３２が開設されている。
蓋体２の開放位置では、係止部７１が弾性力を以て凹み３２に嵌まり、ピストンロッド３０の下降を規制している。これにより、蓋体２の開放位置を維持する。蓋体２を閉塞位置に動かす際には、使用者は係止部７１の弾性力に抗して蓋体２を下向きに押す。係止部７１は凹み３２の上面に押されて弾性変形して凹み３２から脱出し、ピストンロッド３０の下降を許す。これにより、蓋体２を閉じることが出来る。
【００２５】
上記構成では、シリンダ４内はエアによって充填させるとしたが、これに代えて、シリンダ４内をオイルで充填してもよい。即ち、ダンパ機構８はエアダンパ機構に代えて、オイルダンパ機構であってもよい。この場合、収納筒体５はオイルが外に漏れないように、図１１に示すように、二重の筒状に構成する必要がある。即ち、収納筒体５は第１筒体５２と、この第１筒体５２の外側に位置して第１筒体５２と同軸の第２筒体５３を備えて構成される。第１筒体５２に前記の第２開口５０が開設されている。第１開口４０と第２開口５０とが重なることによって第１筒体５２から流出するオイルは、第２筒体５３の内側(第１筒体５２と第２筒体５３とに挟まれた筒状の空間)にて受けられて、オイルが収納筒体５の外に漏れることを防いでいる。尚、複合機１００の振動時に、第２筒体５３内からオイルが漏れないように、第２筒体５３の上面にてピストンロッド３０の通路以外の箇所(前記筒状の空間の上部)を封止すればよい。
ダンパ機構８が、所謂エアダンパ機構の場合は、複合機１００全体の軽量化を達成しつつ、蓋体２の閉塞に対するダンパ効果を得ることが出来る。ダンパ機構８が所謂オイルダンパ機構の場合は、蓋体２に加えられる荷重が大きくとも、適正なダンパ効果を得ることが出来る。
【００２６】
(実施形態に係る構成の効果)
本実施形態に係る複合機１００は、以下の技術的効果を有する。
１．蓋体２の開放位置から蓋体２を自重で閉じる場合は、ピストン３はシリンダ４と摩擦を以てシリンダ４内を摺動し、第１開口４０第２開口５０とが重なった第１状態にて、エアを収納筒体５の外部に排出しながら、閉塞位置に達する。
蓋体２の開放位置から蓋体２に自重以上の荷重が加えられると、シリンダ４にはピストン３との摩擦の他に、ピストン３によって圧縮されたエアの流体圧力が加わる。この結果、第１状態からシリンダ４が更に押し込まれて第１開口４０と第２開口５０とが重なる面積が大きくなる第２状態となる。これにより、シリンダ４内に充填されていたエアは、第１状態よりも多くの量が第１開口４０と第２開口５０とを通って収納筒体５の外部に排出される。この結果、エアのダンパ効果が早く弱められる。従って、蓋体２に自重以上の荷重が加えられた際にも、この荷重に対応してダンパ効果を弱めることができ、蓋体２が素早く閉塞される。これにより、使用者の要求に応じて蓋体２の閉塞速度を変更可能に設定することが出来る。
２．圧縮バネ５１は蓋体２に自重以上の荷重が加えられている第２状態にてシリンダ４にて圧縮変形されるから、この蓋体２が閉塞位置に達すると、弾性力によりシリンダ４を押し戻す。これにより、自重以上の荷重が加えられた蓋体２が閉塞位置に達した後に、第１開口４０と第２開口５０とが重複する部分の開口面積を小さくして、シリンダ４内からエアが排出され過ぎることを防いでいる。即ち、第２状態以降のダンパ機構８のダンパ効果を担保している。
【００２７】
上記構成では、収納筒体５を本体１に、ピストンロッド３０の一端部を蓋体２に設けているとしたが、収納筒体５を蓋体２に、ピストンロッド３０の一端部を本体１に設けてもよい。また、収納筒体５に挿入案内溝５５を、シリンダ４に突起４３を設けているとしたが、これに代えて、収納筒体５に突起４３を、シリンダ４に挿入案内溝５５を設けてもよい。
更に、「弾性体」は圧縮バネ５１に限らず、弾性力によって第２状態のシリンダ４を上向きに付勢するものであればよい。
【産業上の利用可能性】
【００２８】
本発明に係る開閉装置は、本体に対して接合部材を介して開閉可能に接合された蓋体を備えた開閉装置、特に蓋体を本体に対して開閉する際に用いられるダンパ機構を備えた開閉装置に用いると有用である。
【符号の説明】
【００２９】
１    本体
２    蓋体
３    ピストン
４    シリンダ
５    収納筒体
８    ダンパ機構
４０  第１開口
５０  第２開口
５１  圧縮バネ
【図１】
2016187905.tif 000003
【図２】
2016187905.tif 000004
【図３】
2016187905.tif 000005
【図４】
2016187905.tif 000006
【図５】
2016187905.tif 000007
【図６】
2016187905.tif 000008
【図７】
2016187905.tif 000009
【図８】
2016187905.tif 000010
【図９】
2016187905.tif 000011
【図１０】
2016187905.tif 000012
【図１１】
2016187905.tif 000013